(57)【要約】【課題】  ドレン水を蒸発させるために凝縮器に送出するポンプのオンオフに伴う急激なファンの回転数の変動を抑えて、騒音の発生を防ぐ。【解決手段】  ポンプが動作してドレン水が減り、下限水位に達する。このときから一定時間だけポンプをオンし続け、一定時間経過したときにポンプをオフする。下限水位に達したときから、排気ファンの回転数を徐々に上げる。この一定時間よりも長い時間が経過すると、排気ファンの回転数が所定回転数になり、排気ファンの回転数は急激に変化しない。【選択図】  図６
2006234285.tif 000002
【特許請求の範囲】
【請求項１】
キャビネットに圧縮機、凝縮器および蒸発器が内装され、冷房運転時に前記凝縮器から発生する排熱を排気ファンによりキャビネット外部に排出するとともに、前記蒸発器から発生したドレン水を送水手段によって前記凝縮器に導き、凝縮器の熱によって蒸発させる一体型空気調和機であって、前記送水手段の動作状態が変化するとき、この変化に応じた前記排気ファンの回転状態への移行を開始するタイミングが、前記送水手段の動作状態が変化するタイミングと異なることを特徴とする一体型空気調和機。
【請求項２】
送水手段は、溜まったドレン水の容量に応じてオンオフ動作され、前記送水手段がオフしたとき、排気ファンの回転数が徐々に上がるように制御されることを特徴とする請求項１記載の一体型空気調和機。
【請求項３】
送水手段は、ドレン水の容量の減少に応じてオフされるとき、一定時間だけオン動作が維持されてからオフされ、前記送水手段がオン動作からオフ動作に移行する前に排気ファンの回転数が上げられることを特徴とする請求項１または２記載の一体型空気調和機。
【請求項４】
送水手段は、溜まったドレン水の容量に応じてオンオフ動作され、前記送水手段がオンしたとき、前記排気ファンの回転数が徐々に下がるように制御されることを特徴とする請求項１記載の一体型空気調和機。
【請求項５】
ドレン水の容量の増加に応じて送水手段がオンされたとき、オンしてから一定時間経過すると、排気ファンの回転数が徐々に下げられることを特徴とする請求項１または４記載の一体型空気調和機。
【請求項６】
ドレン水の容量の増減に応じて送水手段のオンオフが繰り返されるとき、前記送水手段がオンしてから一定時間の間、排気ファンの回転数が維持されることを特徴とする請求項４または５記載の一体型空気調和機。
【発明の詳細な説明】
【技術分野】
【０００１】
本発明は、熱交換によって発生した排熱をダクトで室外に排出する一体型空気調和機に関する。
【背景技術】
【０００２】
一般的に、一体型空気調和機では、本体内部に圧縮機、蒸発器、凝縮器、蒸発器用ファン、凝縮器用ファンが組み込まれている。このような一体型空気調和機において、排気用ダクトを備えたものが特許文献１に開示されている。冷房運転が行われると、室内の空気を取り込み、この空気で凝縮器を冷却する。高温になった空気はダクトを介して室外に排出される。
【０００３】
そして、蒸発器によって室内の空気を冷却したときにドレン水が発生する。このドレン水をポンプにより凝縮器に注いで、蒸発させることにより、ドレン水の処理が行われることが特許文献２に開示されている。
【特許文献１】特開平５−２５６４７２号公報
【特許文献２】特開平１０−１４１６９１号公報
【発明の開示】
【発明が解決しようとする課題】
【０００４】
冷房運転時に発生したドレン水を凝縮器の熱によって蒸発させるとき、特許文献２に記載されているように、溜まったドレン水の容量に応じてポンプおよび凝縮器用ファンが駆動制御される。
【０００５】
ここで、ポンプのオンオフやポンプの回転数の変化に応じて、凝縮器に注がれるドレン水の量が変化する。これに伴い、凝縮器の放熱量も変化するので、ファンの回転数が増減するように回転制御される。
【０００６】
ところで、ポンプをオンしたとき、あるいはオフしたときに、ファンの回転数を急激に変化させると、ダクトを通る風量が変化する。すると、ファンのモータからの騒音だけでなく、ダクトを通る風による騒音も発生する。室内で使用される一体型空気調和機は、運転時には静かなことが求められているため、騒音の発生は問題となる。
また、ポンプがオン中で、凝縮器の放熱が主にドレン水の蒸発によって行われている場合、ポンプがオフすると、凝縮器温度が急激に上がる。すると、圧縮機の圧縮比が大きくなり、電気回路中に大きな電流が流れる。急に過大な電流が流れると、ブレーカが作動したり、回路保護機能が働いて、電流を遮断してしまい、運転停止となってしまう。
【０００７】
本発明は、上記に鑑み、ドレン水の処理に伴う急激なファンの回転数の変動を抑えることにより、騒音を発生させないようにするとともに、ポンプのオンオフに伴う冷凍サイクルの急激な変化をあらかじめファンの回転数を制御することにより、安定した運転を行える一体型空気調和機の提供を目的とする。
【課題を解決するための手段】
【０００８】
本発明は、キャビネットに圧縮機、凝縮器および蒸発器が内装され、冷房運転時に前記凝縮器から発生する排熱を排気ファンによりキャビネット外部に排出するとともに、前記蒸発器から発生したドレン水を送水手段によって前記凝縮器に導き、凝縮器の熱によって蒸発させる一体型空気調和機であって、前記送水手段の動作状態が変化するとき、この変化に応じた前記排気ファンの回転状態への移行を開始するタイミングが、前記送水手段の動作状態が変化するタイミングと異なるものである。具体的には、排気ファンの回転状態への移行を開始するタイミングが送水手段の動作状態が変化するタイミングよりも遅延される。
【０００９】
冷房運転の強弱や凝縮器温度によって、発生するドレン水量あるいは溜まったドレン水の容量が変化し、これに応じて送水手段の動作状態が変化する。そして、送水手段が動作しているとき、ドレン水の蒸発を促進できるように、排気ファンの回転数は低くされる。送水手段が動作していないとき、凝縮器の放熱能力を高めるために、排気ファンの回転数は高くされる。ここで、送水手段の動作状態が頻繁に変化すると、これに応じて排気ファンの回転数も変化することになるが、排気ファンの動作が変化するタイミングを送水手段の動作が変化するタイミングとずらすことにより、送水手段の動作が安定した状態になってから排気ファンの回転状態を変化させることが可能となる。これによって、不要な排気ファンの回転の変化をなくすことができ、騒音の発生や過電流の発生を防止できる。
【００１０】
すなわち、送水手段は、溜まったドレン水の容量に応じてオンオフ動作され、前記送水手段がオフしたとき、排気ファンの回転数が徐々に上がるように制御される。具体的には、送水手段は、ドレン水の容量の減少に応じてオフされるとき、一定時間だけオン動作が維持されてからオフされ、前記送水手段がオン動作からオフ動作に移行する前に排気ファンの回転数が上げられる。
【００１１】
このように、送水手段がオフするときに、排気ファンの回転数は、送水手段のオフするタイミングよりも遅れて所定の回転数に移行する。このとき、排気ファンの回転数は、急激に変化してもかまわないが、騒音の急激な変化を避けるために、徐々に変化する。
【００１２】
また、送水手段は、溜まったドレン水の容量に応じてオンオフ動作され、前記送水手段がオンしたとき、前記排気ファンの回転数が徐々に下がるように制御される。具体的には、ドレン水の容量の増加に応じて送水手段がオンされたとき、オンしてから一定時間経過すると、排気ファンの回転数が徐々に下げられる。この場合でも、排気ファンの回転数は、急激に変化せず、遅れる時間に合わせて徐々に変化する。
【００１３】
特に、ドレン水の容量の増減に応じて送水手段のオンオフが繰り返されるとき、前記送水手段がオンしてから一定時間の間、排気ファンの回転数が維持される。そして、一定時間経過したとき、送水手段がオンのまま変化していなければ、排気ファンの回転数は徐々に下げられる。この一定時間の間に、送水手段がオフすると、排気ファンの回転数は変化せず、元の回転数のままとなる。
【発明の効果】
【００１４】
本発明によると、送水手段の動作状態の変化に連動する排気ファンの回転状態が遅れて変化することにより、不要な排気ファンの回転数の変動を防ぐことができ、騒音の発生をなくせる。また、排気ファンの回転状態の変化を遅らせることによって、回転数を徐々に変化させることができるので、ドレン水が凝縮器に注がれることによる冷凍サイクル状態の変化を監視しながら最適回転数にすることができる。これにより、回転数の上昇に伴う騒音の増大や回転数が低下しすぎることによる凝縮温度の上昇による過大な電流が流れることを防止できる。したがって、ブレーカや回路保護機能の働きを抑制でき、一時的に運転が停止する事態を避けることができる。
【発明を実施するための最良の形態】
【００１５】
本実施形態の一体型空気調和機では、図１、２に示すように、キャビネット１に、圧縮機２、凝縮器３、蒸発器４および絞り機構（図示せず）が内装され、これらによって冷凍サイクルが形成される。そして、空気調和機は、冷風を発生させて、室内を冷房する冷房運転を行う。そのため、空気調和機は、蒸発器４に対する送風ファン５と、凝縮器３に対する排気ファン６と、排気用のダクト７と、冷房運転によって発生したドレン水を処理するためのポンプ８とを備えている。
【００１６】
キャビネット１は、図３、４に示すように、前面パネル１０、左右一対の側板１１、背板１２によって囲まれた構造とされる。そして、キャビネット１は、上側の冷房室１３と下側の排熱室１４とに区画されている。冷房室１３と排熱室１４とは、仕切り板１５によって仕切られ、上下の空間は断熱されている。
【００１７】
冷房室１３には、蒸発器４および送風ファン５が収容され、排熱室１４には、圧縮機２、凝縮器３、排気ファン６、ポンプ８が収容されている。冷房室１３では、前側に蒸発器４が配置され、背面側にシロッコファンからなる送風ファン５が配置されている。排熱室１４では、前側に凝縮器３が配置され、背面側にシロッコファンからなる排気ファン６が配置されている。凝縮器３と排気ファン６との間に、圧縮機２とポンプ８とが左右にそれぞれ配置されている。凝縮器３は、蒸発器４の下方に位置し、蒸発器４と凝縮器３とは上下に並んでいる。
【００１８】
キャビネット１の前側は開口されており、この開口が前面パネル１０によって覆われている。蒸発器４および凝縮器３は、開口に面しており、前面パネル１０と蒸発器４および凝縮器３との間には間隙１６が形成される。この間隙１６に、フィルタ１７が着脱可能に装着されている。
【００１９】
前面パネル１０に、前面吸込口２０と吹出口２１とが形成されている。また、前面パネル１０と側板１１との間に、側面吸込口２２が形成されている。前面吸込口２０は、前面パネル１０の中央に位置して、縦方向に配されている。前面吸込口２０および側面吸込口２２は、間隙１６に連通している。吹出口２１は、前面パネル１０の上部に位置し、水平方向から斜め上方向に向かって開口している。吹出口２１には、ルーバ２３が設けられ、ルーバ２３はモータによって揺動される。吹出口２１は冷房室１３に連通しており、前面吸込口２０および側面吸込口２２から蒸発器４を経て吹出口２１に至る通風路が形成される。これによって、キャビネット１の前面からの吸い込みおよび前方への吹き出しを実現できる。
【００２０】
排熱室１４は、冷房室１３よりも背面側に突出しており、排熱室１４の上面に排気口２４が形成されている。排気口２４に、蛇腹状のダクト７の一端が取り付けられている。ダクト７の他端は、壁２５の開口部に取り付けられ、排熱室１４がダクト７を介して室外と連通する。したがって、排熱室１４では、前面吸込口２０および側面吸込口２２から凝縮器３を経て排気口２４に至る通風路が形成される。この通風路は、ダクト７に連通して、室外へと通じている。
【００２１】
ダクト７の一端は、排気口２４に対して回転自在かつ着脱自在とされる。すなわち、排気ファン６のケーシング２６に形成された排気口２４に、ファンガード２７が回転自在に嵌め込まれている。ダクト７の一端には、ダクトコネクタ２８が設けられている。このダクトコネクタ２８が、ファンガード２７に着脱自在に装着されるが、ダクトコネクタ２８はファンガード２７に対して回転しないように取り付けられている。ダクト７とファンガード２７とが一体的に回転することにより、ダクト７とキャビネット１とは相対的に回転する。
【００２２】
ダクト７の他端は、壁２５の開口部に着脱可能に取り付けられている。すなわち、開口部にある窓３０を利用して、ダクト７を取り付けるための取付パネル３１が窓枠に固定される。窓３０は、上げ下げ窓、引き違い窓のいずれでもよく、取付パネル３１は、窓３０の大きさに合わせて長さを可変できる。
【００２３】
取付パネル３１の取付口３２にダクトホルダ３３が嵌め込まれ、ダクトホルダ３３に、ダクト７の他端に設けられたダクトコネクタ３４が着脱可能に装着される。ダクトコネクタ３４がダクトホルダ３３に装着されることにより、ダクトホルダ３３は取付パネル３１から抜けないように取り付けられる。ダクトホルダ３３の室外側には、雨が入り込まないように、雨除け３５が取り付けられている。したがって、ダクトコネクタ３４をダクトホルダ３３から外すことにより、ダクト７を窓３０から取り外すことができ、さらにダクトホルダ３３も取付パネル３１から取り外すことができる。ここで、ダクト７を外したとき、取付パネル３１の取付口３２が開いたままになるので、取付口３２を塞ぐカバーが取付パネル３１に設けられている。なお、図１中、３６は換気孔であり、換気扇が取り付け可能とされる。
【００２４】
また、キャビネット１の底面には、車輪４０が取り付けられている。したがって、本空気調和機は移動可能とされ、伸縮可能なダクト７を付けたまま室内で移動させることができる。さらに、ダクト７を外すことにより、空気調和機を他の室内に持ち運ぶことができ、任意の場所で使用することができる。
【００２５】
ところで、蒸発器４では、室内空気の熱交換を行うとき、空気中の水分が結露して、ドレン水が発生する。蒸発器４の下方に、ドレン水を受けるドレンパン４１が設けられ、ドレンパン４１の下方に、滴下皿４２が設けられている。ドレンパン４１は、滴下皿４２内に収容され、滴下皿４２は、キャビネット１に取り付けられている。ドレンパン４１に滴り落ちたドレン水は、滴下皿４２に流れ落ち、さらに滴下皿４２から凝縮器３に流れ落ちる。ドレン水は、凝縮器３を通過するときに、凝縮器３を冷却しながら蒸発する。凝縮器３の下方には、ドレン受皿４３が設けられ、凝縮器３を伝って流れてきたドレン水がドレン受皿４３に溜まる。ドレン受皿４３は、排熱室１４の底に載置されており、ドレン受皿４３には、ドレン抜き孔４４が形成され、栓がされている。栓を抜くと、ドレン水が排出される。
【００２６】
そして、ドレン受皿４３に溜まったドレン水を処理するため、ポンプ８によってドレン水を再び凝縮器３に導き、蒸発させている。ポンプ８は、ドレン受皿４３内に設置され、ポンプ８にドレンホース４５が接続され、ドレンホース４４が滴下皿４２に接続される。ポンプ８と滴下皿４２とによって送水手段が構成される。
【００２７】
ポンプ８は、ドレン水を吸い込んで滴下皿４２に送り込む。ドレン水は、滴下皿４２から流れ落ちて、凝縮器３の熱によって蒸発する。このように、ドレン水を循環させることによって、外部に排水することなく、内部において排水処理ができる。なお、ドレンホース４５の途中には、流路を切り替えるためのコックが設けられ、排水パイプ４６が接続されている。コックを回すことにより、滴下皿４２に向かって循環する流路と、排水パイプ４６に向かって排水される流路とに切り替えられる。
【００２８】
この空気調和機は、図５に示すように、圧縮機２、送風ファン５、排気ファン６、ポンプ８を駆動制御する制御装置５０を備えている。マイコンからなる制御装置５０は、キャビネット１に内装され、リモコン５１あるいはキャビネットに設けられた操作スイッチからの操作信号に応じて、冷房運転、除湿運転、換気運転といった各種運転を実行する。また、前面パネル１０に、ＬＥＤ等からなる表示器５２が設けられており、制御装置５０は、各種運転に応じて表示器５２の点灯を制御する。さらに、ドレン受皿４３に水位検出器５３が設けられ、制御装置５０は、溜まったドレン水の量に応じてポンプ８の動作および排気ファン６の回転を制御し、ドレン水が満水になったときの警告として表示器５２の点灯あるいは点滅といった制御を行う。
【００２９】
冷房運転では、室内空気が、送風ファン５の駆動によって前面吸込口２０および側面吸込口２２から吸い込まれ、前面パネル１０の間隙１６から蒸発器４を通り抜ける。このとき、吸い込まれた空気は、蒸発器４によって冷却され、冷風となる。冷風は、吹出口２１から室内に吹き出される。
【００３０】
一方、排気ファン６の駆動によって、室内空気が、前面吸込口２０および側面吸込口２２から吸い込まれ、前面パネル１０の間隙１６から凝縮器３を通り抜ける。このとき、吸い込まれた空気は、凝縮器３によって暖められ、温風となる。温風は、排気口２４からダクト７を通り、室外に排出される。
【００３１】
冷房運転により蒸発器４から発生したドレン水は、流れ落ちてドレン受皿４３に溜まる。ドレン水が所定水位まで溜まると、ポンプ８が駆動され、ドレン受皿４３のドレン水を汲み上げて、滴下皿４２に導く。汲み上げられたドレン水は、凝縮器３の表面に沿って流れ落ち、蒸発する。蒸発しなかったドレン水は、ドレン受皿４３に溜まり、再び汲み上げられ、蒸発するまで循環される。なお、ドレン受皿４３のドレン水の水位はフロート式の水位検出器５３によって検出され、満水になったことが検知されたとき、制御装置５０は、圧縮機２、ポンプ８等を停止させて、冷房運転を停止する。
【００３２】
除湿運転では、冷房運転と同様に圧縮機２、送風ファン５、排気ファン６、ポンプ８が駆動制御される。ただし、ドレン受皿４３に溜まったドレン水は循環させず、コックの操作によりドレン水を排水パイプ４６から排出する。この場合、ダクト７を外しておく。排熱室１４を通って除湿された空気は、排気口２４から室内に排出される。そのため、室内の温度を変えずに除湿できる。
【００３３】
換気運転では、圧縮機２、送風ファン５およびポンプ８は停止し、排気ファン６のみが駆動される。キャビネット１の前方から吸い込まれた室内の空気は、排熱室１４からダクト７を経て室外に排出される。このとき、壁２５の換気孔３６から室外の空気が入り込み、室内の換気が行われる。
【００３４】
ここで、冷房運転において、冷房の強弱を選択可能とされる。制御装置５０は、リモコン５１によって選択された強弱に応じて送風ファン５の回転制御を行う。そして、冷凍サイクル効率を高めながら、ドレン水の蒸発を促進できるように、ポンプ８を駆動制御しながら凝縮器３の作動状態に応じて排気ファン６の回転制御を行う。すなわち、凝縮器３の温度を検出する温度センサ５４が設けられ、制御装置５０は、凝縮器温度の変化によって凝縮器３の作動状態を判断し、排気ファン６の回転数を増減する。温度センサ５４は、凝縮器３の表面に接触あるいは近接して設けられ、凝縮器３を流れる冷媒の温度に対応する凝縮器温度を検出する。
【００３５】
さらに、室内温度を検出する室温センサ５５が設けられる。室温センサ５５は、キャビネット１の前面吸込口２０あるいは側面吸込口２２の近傍に設けられる。排気ファン６の回転制御として、制御装置５０は、室内温度に基づいて運転開始時の排気ファン６の初期回転数を決め、凝縮器温度が上限温度より高くなると、回転数が上がるように排気ファン６を駆動制御し、凝縮器温度が下限温度より低くなると、回転数が下がるように排気ファン６を駆動制御する。凝縮器温度が上限温度と下限温度との間にあるとき、排気ファン６の回転数を初期回転数に維持する。なお、上限温度は、冷凍サイクル効率のために設定された温度であり、ここでは６０℃とされる。上限温度より低い下限温度は、ドレン水の処理能力を高めるために設定された温度であり、ここでは４５℃とされる。また、排気ファン６の回転数を増加あるいは減少といったように変化させるとき、段階的に変化させると、騒音の原因となるので、リニアな変化をさせて、徐々に回転数を増減し、騒音の発生を防ぐ。
【００３６】
そして、ドレン水の排水処理を行うために、水位検出器５３は、溜まったドレン水が排水処理を開始するための下限水位および満水水位を検出すると、制御装置５０に信号を出力する。下限水位に達したことを検出すると、作動信号を出力する。満水水位に達したことを検出すると、満水信号を出力する。制御装置５０は、作動信号が入力される度に、ポンプ８をオンオフする。すなわち、制御装置５０は、ドレン水が増えて下限水位に達すると、ポンプ８をオンする。ポンプ８がオンしているときに、ドレン水が減って下限水位に達すると、ポンプ８をオフする。また、満水信号が入力されると、ポンプ８をオフする。そして、制御装置５０は、このようなポンプ８の動作状態の変化に応じて排気ファン６の回転数も増減するように排気ファン６を回転制御する。
【００３７】
ここで、ポンプ８がオンしたとき、排気ファン６の回転数は下がり、ポンプ８がオフしたとき、排気ファン６の回転数が上がる。このように、ポンプ８のオンオフといったように動作状態が変化するとき、ポンプ８の動作状態に応じた所定回転数に移行するときのタイミングが、ポンプ８がオンオフするときのタイミングと異なるように制御される。
【００３８】
すなわち、図６に示すように、ポンプ８がオンしているとき、ドレン水の水位が下がり、水位検出器５３により下限水位が検出される（Ｔ０）と、ポンプ８はオフされる。このとき、ポンプ８は、すぐにはオフされず、一定時間Ｔ１のタイムラグをおいてからオフされる。なお、下限水位が検出されてからポンプ８が実際にオフするまでのタイムラグは、ドレン水の排出によって完全に下限水位よりも下がるようにして、ドレン水の流出入や水面の揺れによる影響を排除するために設けられている。
【００３９】
一方、排気ファン６は、ポンプ８のオン時に任意の回転数で回転駆動されており、下限水位が検出されたとき、排気ファン６の回転数は急激に上げられることはなく、所定回転数になるように徐々に回転数が上げられる。この間に一定時間Ｔ１が経過して、ポンプ８はオフされる。その後、排気ファン６の回転数は、所定回転数に達し、この回転数が維持される。
【００４０】
このように、排気ファン６の回転数が上昇してから所定回転数に達するまでのアップ時間Ｔ２は、一定時間Ｔ１よりも長くなるように設定されている。ポンプ８の動作がオンからオフに変化するとき、排気ファン６の回転数の変化は徐々に行われ、しかもポンプ８の動作が変化するときのタイミングと所定回転数になるときのタイミングとがずれている。したがって、凝縮器３にドレン水を注ぎ終わる前に、排気ファン６が徐々に高回転になっていくので、凝縮器温度の急激な変化を緩和することができ、圧縮機２の圧縮比が急変せず、過大な電流が流れることはない。しかも、排気ファン６の回転数も急激に変化しないので、騒音の発生も抑制できる。なお、所定回転数は、初期回転数とされる。なお、所定回転数に達するまでのアップ時間Ｔ２は、一定時間より短くすることも可能である。
【００４１】
また、ドレン水の水位が下限水位付近にあるとき、ドレン水の排出する量と流入する量との関係により、水位検出器５３は頻繁に作動信号を出力する。このとき、ポンプ８はオンオフを繰り返し、ポンプ８のオンオフに応じて排気ファン６の回転数が変化すると、耳障りな音が発生する。
【００４２】
そこで、図７に示すように、制御装置５０は、ポンプ８をオンしたとき（Ｔ０）、Ｔ０から一定時間Ｔ３経過してから排気ファン６の回転数を徐々に下げるように制御する。すなわち、一定時間の間は、排気ファン６の回転数が一定に維持され、一定時間を超えると、回転数が下げられる。ダウン時間Ｔ４経過すると、所定回転数になる。この場合でも、ポンプ８の動作状態に応じた所定回転数に移行するときのタイミングが、ポンプ８がオンオフするときのタイミングよりも遅延する。
【００４３】
このように、ドレン水の増減に応じてポンプ８がオンオフを繰り返しても、すぐに排気ファン６の回転数は変化しない。一定時間経過して、ドレン水の水位が下がらないことが確認されてから、排気ファン６の回転数が変化する。したがって、頻繁にポンプ８がオンオフしても、排気ファン６の回転数は変化しないので、騒音の発生を抑制できる。
【００４４】
なお、本発明は、上記実施形態に限定されるものではなく、本発明の範囲内で上記実施形態に多くの修正および変更を加え得ることは勿論である。本実施形態では、ポンプによりドレン水を凝縮器に導いているが、ドレン水をドレンパンに溜めておいて、閉止弁の開閉によりドレン水を凝縮器に注ぐものとしてもよい。
【図面の簡単な説明】
【００４５】
【図１】本発明の一体型空気調和機の全体構成図
【図２】空気調和機の排熱室内部の配置を示す図
【図３】前面側から見た空気調和機の外観斜視図
【図４】背面側から見た空気調和機の外観斜視図
【図５】空気調和機の制御ブロック図
【図６】ポンプオフ時における排気ファンの動作のタイムチャート
【図７】ポンプのオンオフが繰り返されたときにおける排気ファンの動作のタイムチャート
【符号の説明】
【００４６】
２    圧縮機
３    凝縮器
４    蒸発器
５    送風ファン
６    排気ファン
７    ダクト
８    ポンプ
５０    制御装置
５３    水位検出器
５４    温度センサ
５５    室温センサ
【図１】
2006234285.tif 000003
【図２】
2006234285.tif 000004
【図３】
2006234285.tif 000005
【図４】
2006234285.tif 000006
【図５】
2006234285.tif 000007
【図６】
2006234285.tif 000008
【図７】
2006234285.tif 000009